(57)【要約】      （修正有）【課題】硬貨を取り扱いながら、銀行以外の店舗に設置可能でコンパクトな電子マネーチャージ機を提供する。【解決手段】本発明の硬貨への逆両替機能付き硬貨用電子マネーチャージ機１００は、前記電子マネーチャージ機にアクセスするためのインターフェース１１０、電子マネーリーダライタ１２０、硬貨投入口１３１、金種振分ユニット１３３、種類別に保管する硬貨用金庫１３４、逆両替硬貨用払出口１３６、硬貨投入口から投入された硬貨の額に基づいて電子マネーを電子マネー記録媒体へチャージする処理を行う電子マネーチャージ処理部、指示に基づいて硬貨用金庫から逆両替硬貨用払出口へ硬貨の払出処理を行う硬貨逆両替処理部、並びに電子マネーチャージ処理部によって作成される電子マネー入金情報、硬貨逆両替処理部によって作成される硬貨逆両替情報を、ネットワークを通じて電子マネー管理用サーバへ送信するための通信処理部を備える。【選択図】図１
2018060352.tif 000002
【特許請求の範囲】
【請求項１】
硬貨への逆両替機能付き硬貨用電子マネーチャージ機であって、
硬貨で電子マネーをチャージする者又は硬貨へ逆両替する者が前記電子マネーチャージ機にアクセスするためのインターフェース、
電子マネーリーダライタ、
硬貨投入口、
前記硬貨投入口に投入された硬貨の金種振分ユニット、
前記金種振分ユニットで分別された硬貨を種類別に保管する硬貨用金庫、
逆両替硬貨用払出口、
前記硬貨投入口から投入された硬貨の額に基づいて電子マネーを電子マネー記録媒体へチャージする処理を行う電子マネーチャージ処理部、
前記硬貨へ逆両替する者の指示に基づいて前記硬貨用金庫から前記逆両替硬貨用払出口へ硬貨の払出処理を行う硬貨逆両替処理部、並びに
前記電子マネーチャージ処理部によって作成される電子マネー入金情報、及び、前記硬貨逆両替処理部によって作成される硬貨逆両替情報を、ネットワークを通じて電子マネー管理用サーバへ送信するための通信処理部
を備えた、前記電子マネーチャージ機。
【請求項２】
前記硬貨投入口から投入された硬貨の真正を判定するための硬貨正偽判定ユニットをさらに備える、請求項１に記載の電子マネーチャージ機。
【請求項３】
前記硬貨用金庫は、前記金種振分ユニットから硬貨を誘導するためのホッパーを内蔵する、請求項１又は２に記載の電子マネーチャージ機。
【請求項４】
前記逆両替硬貨用払出口は、上面が解放した箱型の引き出しである、請求項１〜３のいずれかに記載に電子マネーチャージ機。
【請求項５】
小売店舗に設置されるための請求項１〜４のいずれかに記載の電子マネーチャージ機。
【発明の詳細な説明】
【技術分野】
【０００１】
本発明は、硬貨への逆両替機能付き硬貨用電子マネーチャージ機に関し、より詳細には、硬貨を用いて電子マネーをチャージする機能、及び、金庫に貯留された硬貨を用いて硬貨へ逆両替する機能を併せ持った電子マネーチャージ機に関する。
【背景技術】
【０００２】
近年、電子マネー（電子貨幣）を用いて商品の購入やサービスの提供の代価を決済する電子決済システムが普及している。このシステムは、ＩＣチップを搭載したＩＣカードや携帯電話端末のような電子マネー記録媒体を、小売店舗等に設置された入金処理装置（電子マネーチャージ機）の電子マネーリーダライタにタッチさせるだけで、商品取引の決済を完了させるものである。電子マネー決済によれば、消費者は、財布の中に現金、特にたくさんの硬貨があるととても嵩張るし重くもなる、硬貨をカバンに入れておくと必要なお金を財布から取り出すことも面倒であるといった問題から解放される。電子マネーの使用によって小銭が不要となることは、消費者にとって非常に好ましいことである。さらに、レジでの支払いに際し小銭を取り出したり、探したりする時間が要らなくなり、その結果、時間を節約できる。レジの混雑が緩和されることは、コンビニエンスストアやスーパーマーケットのような小売店舗側にとっても好都合である。消費者は、また、電子マネーシステムの発行体（電子マネー事業者）が提供するポイントが貯められるといったメリットを享受する。
【０００３】
電子マネー決済システムの普及には目を見張るものがあるが、電子マネーを利用するためには、事前に金銭を電子マネーに両替する、あるいは電子マネーの残高が少なくなった場合に電子マネーを補充するという「電子マネーのチャージ」が必要である。電子マネーに金銭をチャージ方法には、現在、現金を利用する方法とクレジットカードを利用する方法の２種類がある。
【０００４】
現金を用いて電子マネーを電子マネー記録媒体にチャージするための電子マネーチャージ機が、電子マネーの使用場所、例えば駅、大規模小売店舗、ショッピングモール、コンビニエンスストア等に配置されている。
【０００５】
現金を利用して電子マネーをチャージする現在の問題点は、使える現金が紙幣のみになることである。すなわち、現在、硬貨を用いてチャージできる電子マネーチャージ機は存在しない。
【０００６】
特許文献１には、紙幣のみならず硬貨も投入でき投入額相当の電子マネーを専用の情報媒体にチャージできる硬貨入金チャージ機と、この硬貨入金チャージ機と当該電子マネーの決済用端末を備えた複数の加盟店とを有する集客システムであって、上記加盟店が上記硬貨入金チャージ機への貨幣投入を監視可能であることを特徴とする集客システムが提案されている。特許文献１の発明によれば、家庭にある小銭や財布やポケットの余分な小銭が１枚の電子マネーカードにチャージされ、嵩張らないだけでなく小銭を有効に活用できるとされる。
【先行技術文献】
【特許文献】
【０００７】
【特許文献１】特開２０１５−８４１２７（硬貨入金チャージ機を用いた集客システム）
【発明の開示】
【発明が解決しようとする課題】
【０００８】
しかし、特許文献１に開示の硬貨が使える電子マネーチャージ機であっても、硬貨を扱うチャージ機が大型化してしまうという問題が残る。すなわち、硬貨は、紙幣と違って、嵩張るだけでなく、一円硬貨で１ｇ、五円硬貨で３．７ｇ、十円硬貨で４．５ｇ、五十円硬貨で４ｇ、百円硬貨で４．８ｇ、そして五百円硬貨で７ｇの重量を有する。硬貨入金チャージ機の金庫に各硬貨が１，０００枚貯留されると、その総量は約２５ｋｇにもなり、金庫重量を合わせると相当な重量となる。金庫に貯まった硬貨を金融機関へ持ち込むのにも相当の困難と無理がある。硬貨入金チャージ機を銀行外に設置するとなると、硬貨の回収時に何十キロ、場合によっては百キロ以上の硬貨を運搬する必要が出てくる。硬貨を扱える機械は、銀行のみに設置されているのが現状である。
【０００９】
そこで、本発明の課題は、硬貨を取り扱いながら、銀行以外の店舗にも設置可能なコンパクトで実用性の高い電子マネーチャージ機を提供することにある。
【課題を解決するための手段】
【００１０】
本発明者は、上記課題を鋭意検討した結果、電子マネーチャージ機に硬貨への逆両替機能を付加することにより硬貨回収の負担を少なくすることで上記課題を解決できることを見出し、本発明を完成させた。すなわち、本発明は、硬貨への逆両替機能付き硬貨用電子マネーチャージ機であって、
硬貨で電子マネーをチャージする者又は硬貨へ逆両替する者が前記電子マネーチャージ機にアクセスするためのインターフェース、
電子マネーリーダライタ、
硬貨投入口、
前記硬貨投入口に投入された硬貨の金種振分ユニット、
前記金種振分ユニットで分別された硬貨を種類別に保管する硬貨用金庫、
逆両替硬貨用払出口、
前記硬貨投入口から投入された硬貨の額に基づいて電子マネーを電子マネー記録媒体へチャージする処理を行う電子マネーチャージ処理部、
前記硬貨へ逆両替する者の指示に基づいて前記硬貨用金庫から前記逆両替硬貨用払出口へ硬貨の払出処理を行う硬貨逆両替処理部、並びに
前記電子マネーチャージ処理部によって作成される電子マネー入金情報、及び、前記硬貨逆両替処理部によって作成される硬貨逆両替情報を、ネットワークを通じて電子マネー管理用サーバへ送信するための通信処理部
を備えた、前記電子マネーチャージ機を提供する。
【００１１】
本発明の電子マネーチャージ機によって硬貨を用いて電子マネーを「チャージ」する行為は、硬貨から電子マネーへの「両替」といえる。その観点から、本明細書では、電子マネーチャージ機に貯留された硬貨を用いて、逆に硬貨へ両替する行為を指す意図で、「逆両替」という用語を使用する。
【００１２】
前記電子マネーチャージ機は、前記硬貨投入口から投入された硬貨の真正を判定するための硬貨正偽判定ユニットをさらに備えることが好ましい。
【００１３】
前記硬貨用金庫は、上記金種振分ユニットから硬貨を誘導するためのホッパーを内蔵することが好ましい。
【００１４】
前記逆両替硬貨用払出口は、例えば上面が解放した箱型の引き出しである。
【００１５】
前記電子マネーチャージ機は、小売店舗に設置されることが好ましい。
【発明の効果】
【００１６】
本発明の硬貨への逆両替機能付き硬貨用電子マネーチャージ機は、従来技術にない硬貨への逆両替という機能が付与されたことにより、一般消費者のように硬貨を使って電子マネーをチャージしたい者（以下、「電子マネーチャージ者」という）、スーパーストアやコンビニエンスストアのような小売店舗の経営者のように硬貨への逆両替を希望する者（以下、「硬貨逆両替者」という）、及び電子マネーの発行者（以下、「電子マネー事業者」という）に対して、以下に示すようなさまざまな恩恵をもたらす。
【００１７】
前記電子マネーチャージ者には、家庭にある小銭や財布やポケットの余分な小銭を１枚のＩＣカード等にチャージできるため、財布がかさばらないだけでなく、小銭を有効に活用できる。
【００１８】
前記硬貨逆両替者は、釣銭用の小銭（硬貨）が多量に必要であり、それをこの電子マネーチャージ機から調達することができる。従来、大量の硬貨が保管可能な場所は、銀行のような金融機関しかないため、多量の硬貨を必要とする者は、銀行の両替端末機に行って調達するしかなかった。金融機関で紙幣を硬貨に両替する手間は、その頻度が増すほど煩雑であり、さらに両替量によっては手数料が引かれてしまう。本発明の逆両替機能付き硬貨用電子マネーチャージ機を用いれば、硬貨を必要とする者は、金融機関に行かなくとも、店舗で使用する釣銭（硬貨）への逆両替が可能となる。また、両替手数料の削減や無負担も可能である。
【００１９】
前記電子マネー事業者は、電子マネーチャージ機に貯留された硬貨を逆両替金として利用させることで、硬貨回収の作業やその頻度を大幅に削減することができる。また、電子マネーチャージ機に硬貨を大量に貯留させないため、電子マネーチャージ機のキャビネット（筐体）の大きさや構造を実用的なレベルまでコンパクトすることができる。
【図面の簡単な説明】
【００２０】
【図１】本発明の硬貨への逆両替機能付き硬貨用電子マネーチャージ機１００の外観図である。図１は、電子マネーチャージ機のキャビネット１０１の前面扉１０２を開けて、電子マネーチャージ機の内部を内覧できる状態が示されている。
【図２】図１の電子マネーチャージ機１００の制御系を示すブロック図である。
【図３】図１の電子マネーチャージ機１００内の硬貨用金庫１３４の収納状態を示す拡大図である。
【図４】図１の電子マネーチャージ機１００から硬貨用金庫１３４及び逆両替硬貨用払出口（引き出し）１３６を取り外した状態図である。
【図５】本発明の硬貨への逆両替機能付き硬貨用電子マネーチャージ機１００を用いて、電子マネーチャージ者による現金（硬貨）での電子マネーのチャージの処理内容を示すフローチャートである。
【図６】本発明の硬貨への逆両替機能付き硬貨用電子マネーチャージ機１００を用いて、硬貨逆両替者による店舗釣銭用硬貨への逆両替の処理内容を示すフローチャートである。
【図７】本発明の硬貨への逆両替機能付き硬貨用電子マネーチャージ機１００を用いて、電子マネー事業者による金庫内硬貨回収の処理内容を示すフローチャートである。
【発明を実施するための形態】
【００２１】
以下に、本発明の硬貨への逆両替機能付き硬貨用電子マネーチャージ機（以下、単に「電子マネーチャージ機」ということがある）の一実施形態を、添付の図面を用いて説明する。
【００２２】
図１は、本発明の電子マネーチャージ機１００の外観図である。この装置は、外扉（図では前面扉１０２）を有するキャビネット１０１に設置されたインターフェース１１０、電子マネーリーダライタ１２０、金銭処理機１３０等の外部装置、それらを制御する主制御部１５０及びメモリ１６０から構成されている。
【００２３】
電子マネーチャージ機１００は、前面扉１０２が閉まっている時は電子マネーチャージ機として機能し、前面扉１０２を開けた時は硬貨への逆両替機として機能する。図１の装置では、電子マネーチャージ機１００の前面扉１０２を専用鍵で開けることで、電子マネーチャージ機１００から各金種の硬貨への逆両替機に切り替わる。
【００２４】
インターフェース１１０は、各利用者が電子マネーチャージ機の電子マネーチャージ処理部１５１へアクセスするために、表示部１１１及び入力部１１２を有する。表示部１１１は、利用者に操作を案内するとともに、必要な情報を表示する部分である。入力部１１２は、電子マネーチャージ機１００が必要とする情報を入力するための機能であり、通常、入金、取消等の押ボタンや暗証番号等を入力するためのテンキーを有する。図１では、インターフェース１１０として、表示部１１１としてのモニタと入力部１１２としてのタッチ画面を備えたタッチパネルモニタが採用されている。
【００２５】
主制御部１５０が操作者毎に実施可能な操作を選択する表示画面をインターフェース１１０の表示部１１１に表示する。表示部１１１には、通常、電子マネーチャージ者に対して電子マネー記録媒体２００への硬貨での入金処理を促す表示がされている。一方、硬貨逆両替者（例えばチャージ機の設置された小売店舗の経営者）が電子マネーチャージ機１００の前面扉１０２を開けると、表示部１１１に硬貨逆両替処理の操作画面が現れる。
【００２６】
電子マネーリーダライタ１２０は、ＩＣチップの埋め込まれたＩＣカード、携帯電話端末や携帯情報端末；磁気カード等の電子マネー記録媒体２００に対して、データの読み書きを行う装置である。電子マネーリーダライタ１２０は、好ましくは、ＩＣカードや携帯電話端末がその載置台に載置されたときに、ＩＣチップと非接触式にアクセスし、データ（電子マネー記録媒体２００の所有者情報、チャージ金額等）の読み書きを行うものである。電子マネーリーダライタ１２０の通信部１２１は、所定の通信可能領域に保持された電子マネー記録媒体２００との間で情報の送受信を行うためのものである。電子マネーリーダライタ１２０の読書処理部１２２は、電子マネー記録媒体２００に記録されたデータの読み取りと書き込みを行うよう制御する。より詳細には、電子マネーリーダライタ１２０は、メモリに予め記憶された特定の認証鍵を用いて、電子マネー記録媒体２００にアクセスし、このアクセスが許容された場合に電子マネー記録媒体２００に記録されたデータの読み取りを行う。
【００２７】
金銭処理機１３０は、電子マネーチャージ者が投入した硬貨を仕分けする機構である。この処理機は、硬貨投入口１３１、金種振分ユニット１３３、硬貨用金庫１３４及び硬貨返却口１３５を備える。金銭処理機１３０は、さらに硬貨正偽判定ユニット１３２を備えることが好ましい。
【００２８】
硬貨投入口１３１は、ロック機能を有する硬貨投入扉を備えている。扉は自動又は手動で開けられ、電子マネーチャージ者により複数の硬貨が一括投入された後に自動又は手動で閉まるようになっている。
【００２９】
硬貨正偽判定ユニット１３２は、コインメックとも呼ばれる。この判定ユニットの硬貨正偽判定処理部１５４が、一括投入された硬貨の金種及びその真正を判定する。硬貨正偽判定処理部１５４により真正であると判断された硬貨は、金種振分ユニット１３３へ送られる。硬貨入金情報（すなわち電子マネー入金情報）が電子マネーチャージ処理部１５１へ送られる。一方、偽貨幣と判定された硬貨は、電子マネーチャージ者へ返却するために硬貨返却口１３５へ送られる。
【００３０】
金種振分ユニット１３３は、前記真正と判定された硬貨を、６金種（１円、５円、１０円、５０円、１００円及び５００円硬貨）に振り分ける機構である。この機構は従来公知の機構を特に制限なく使用可能である。
【００３１】
硬貨用金庫１３４は、金種振分ユニット１３３で分別された硬貨を、図３に示すように種類別に保管するためにある。各金庫は、金種振分ユニット１３３からの硬貨を金庫へ誘導するためのホッパーを内蔵することが好ましい。
【００３２】
硬貨用金庫１３４には、金庫を開けるための専用鍵が付属されている。この鍵は、電子マネー事業者が管理するものであり、通常、チャージ機が設置されている小売店舗のオーナーには渡されない。電子マネー事業者は、電子マネー入金情報と硬貨逆両替情報を管理する。電子マネー入金情報と硬貨逆両替情報の集計結果に基づいて金庫に一定量以上の硬貨が貯まったことを検知した場合に、あるいは予め決められた時期に、電子マネー事業者又はそこから依頼された硬貨回収者が専用の鍵を用いて金庫を開けて硬貨を回収する。
【００３３】
逆両替硬貨用払出口１３６は、逆両替したい硬貨を硬貨用金庫１３４から払い出すためにある。逆両替硬貨用払出口と硬貨返却口１３５とは、構造的に硬貨の払い出し口である点で同じであるが、両者の機能・目的は異なる。
【００３４】
硬貨用逆両替払出口１３６の形状は、例えば金種毎の硬貨用金庫１３４の下に位置する上面が解放した箱型の引き出しである。小売店舗のオーナーがインターフェース１１０（タッチパネルモニタ）による画面操作で必要な金種を必要な枚数を入力すると、硬貨用金庫１３４下の逆両替硬貨用払出口１３６（引き出し）に逆両替用硬貨が金種別に払い出される。
【００３５】
電子マネーチャージ機１００の内部には、通常、金庫の開閉の検知する手段（警報機）が敷設される。この検知手段は、専用鍵以外の手段で金庫を開けようとする侵入者を検知し、それを電子マネー管理用サーバ３００に知らせる。
【００３６】
本発明の電子マネーチャージ機１００は、適宜、紙幣用の金銭処理機（図示せず）を具備してもよい。紙幣用の金銭処理機は、例えば紙幣投入口、紙幣正偽判定ユニット（ビルバリともいう）、紙幣振分ユニット、紙幣用金庫、及び紙幣返却口で構成される。
【００３７】
図２は、本発明の電子マネーチャージ機１００の制御系を示すブロック図である。なお、図２は、本発明の特徴部分を実施するのに必要なものだけを示している。
【００３８】
主制御部１５０は、予めメモリ１６０に格納されたプログラムに従って処理を行い、インターフェース１１０、電子マネーリーダライタ１２０、金銭処理機１３０等からの情報（電子マネー入金情報及び硬貨逆両替情報）に基づいて、硬貨からの電子マネーチャージ機能や硬貨への逆両替機能を統括的に制御するためにある。主制御部１５０は、具体的には、電子マネーチャージ処理部１５１、硬貨逆両替処理部１５２、通信処理部１５３、硬貨正偽判定処理部１５４等で構成される。これらの制御部の機能を以下に説明する。
【００３９】
電子マネーチャージ処理部１５１は、金銭処理機１３０から電子マネーチャージ者が投入した硬貨の入金情報（電子マネー入金情報）を得る。また、電子マネーリーダライタ１２０を通じて電子マネー記録媒体２００とのアクセスが確認された場合に、電子マネー記録媒体２００に電子マネーをチャージする処理を行う。
【００４０】
電子マネーチャージ処理部１５１の実行例は、以下である。電子マネーチャージ処理部１５１は、電子マネー記録媒体２００から読み取った電子マネーチャージ者に関する情報を、ゲートウエイサービスにより、ネットワーク（専用線、公衆回線、インターネット等）を通じて電子マネー管理用サーバ３００へ送る。電子マネー管理用サーバ３００は、電子マネーチャージ者の認証情報を電子マネーチャージ処理部１５１へ送る。電子マネーチャージ処理部１５１は、電子マネー管理用サーバ３００からの認証を受信した場合に、金銭処理機１３０に硬貨を受け入れるよう指示する。金銭処理機１３０が硬貨を受け入れた後、投入された金額をタッチパネルモニタ１１０に表示し、電子マネーチャージ者に金額の確認を促す。電子マネーチャージ処理部１５１は、投入された金額と等価の電子マネーを電子マネー記録媒体２００にチャージする指令（チャージ要求）を電子マネー管理用サーバ３００へ送信し、電子マネー管理用サーバ３００からのチャージ許可を待つ。
【００４１】
電子マネー管理用サーバ３００は、前記指令に基づいて、サーバが管理する電子マネー記録媒体２００の電子マネー入金情報の履歴を書き換えるとともに、電子マネーチャージ処理部１５１にチャージ許可を送信する。電子マネーチャージ処理部１５１は、投入された金額と等価の電子マネーをチャージ（記録）する指令を電子マネーリーダライタ１２０へ送る。
【００４２】
電子マネーチャージ処理部１５１は、電子マネーリーダライタ１２０によって電子マネー記録媒体２００に電子マネーがチャージされたことを電子マネー管理サーバへ送信する。一方、電子マネー管理用サーバ３００は、前記送信情報に基づいて、サーバが管理する電子マネー記録媒体２００の電子マネーに関する情報（履歴等）を書き換える。
【００４３】
本発明の逆両替機能付き硬貨用電子マネーチャージ機１００は、前記紙幣受入手段から投入された紙幣による電子マネーチャージが可能であってもよい。その場合、電子マネーチャージ処理部１５１は、前記紙幣受入手段から投入された紙幣の額に基づいて電子マネーのチャージ処理を行う。
【００４４】
本発明の電子マネーチャージ機１００は、硬貨を使用して電子マネーをチャージできることを必須の特徴とするが、通常の電子マネーチャージ機１００と同様に、信販会社から与えられた信用（与信）による電子マネーチャージ（クレジットチャージともいう）や、金融機関（銀行）の口座の預貯金による電子マネーチャージ（デビットチャージともいう）が可能であってもよい。
【００４５】
硬貨逆両替処理部１５２は、硬貨逆両替者の要求額に応じて、前記硬貨用金庫１３４から硬貨への逆両替処理を行う機能を備えた電子機器回路である。
【００４６】
硬貨逆両替処理部１５２の実行例は、以下である。硬貨逆両替処理部１５２は、硬貨逆両替者の認証用情報を通信処理部１５３とネットワークを通じて電子マネー管理用サーバ３００に送信する。電子マネー管理用サーバ３００は、硬貨逆両替者の認証に関する情報を送信する。
【００４７】
硬貨逆両替処理部１５２は、電子マネー管理用サーバ３００から硬貨逆両替者の認証情報を受信した場合に、硬貨逆両替情報（金種と量、逆両替に必要な金銭の決済方法）を作成し、電子マネー管理用サーバ３００に送る。
【００４８】
硬貨逆両替処理部１５２は、硬貨逆両替者の認証情報を得た場合、硬貨逆両替情報に従った種類と量の硬貨を硬貨用金庫１３４から逆両替硬貨用払出口１３６へ払い出す。
【００４９】
電子マネー管理用サーバ３００は、硬貨逆両替情報に記載された決済方法に基づいて、硬貨逆両替者の金融機関の口座サーバや信販会社のクレジットカード決済サーバ３１０へ逆両替に必要な金銭額を決済するよう指令する。クレジットカードによる決済は、予めクレジット会社により与えられた与信限度内で硬貨へ逆両替するものであり、逆両替の代金はクレジット会社によって立て替えられる。立て替えられた逆両替の代金は、後日決済される。デビットカードによる決済は、銀行口座の預貯金残高の範囲内で硬貨へ逆両替するものであり、逆両替の代金は即時決済される。なお、クレジットカードやデビットカードを用いる場合の利用者の認証は、従来公知のものが使用される。
【００５０】
あるいは、電子マネー管理用サーバ３００は、硬貨逆両替者の要望に基づいて、逆両替に必要な金銭額を電子マネー記録媒体２００、プリペイドカード等から引き去る指示を電子マネーチャージ処理部１５１に送ることもできる。その場合、電子マネーチャージ処理部１５１は、電子マネー記録媒体２００等から逆両替相当額を引き去る指令を電子マネーリーダライタ１２０に送る。
【００５１】
電子マネー管理用サーバ３００は、逆両替に必要な金銭の決済が完了したことを硬貨逆両替処理部１５２へ伝える。
【００５２】
本発明の逆両替機能付き硬貨用電子マネーチャージ機１００は、また、適宜敷設した前記紙幣受入れ手段から投入された紙幣を用いて硬貨へ逆両替することも可能である。その場合、前記硬貨両替処理部１５２は、前記硬貨用金庫１３４から前記硬貨払出口へ硬貨の逆両替処理を行う。
【００５３】
通信処理部１５３は、ネットワーク（専用回線等）を介して電子マネー管理用サーバ３００、クレジット決済サーバ３１０、金融機関（銀行）口座サーバ３２０等と間を接続するように機能する。具体的には、通信処理部１５３は、硬貨による電子マネーチャージでは電子マネーチャージ処理部１５１と電子マネー用管理サーバ３００との間、クレジットカード決済による硬貨逆両替では硬貨逆両替処理部１５２と電子マネー管理用サーバ３００及びクレジットカード決済サーバ３１０との間、そしてデビットカード決済による硬貨逆両替では硬貨逆両替処理部１５２と電子マネー管理用サーバ３００及び金融機関口座サーバ３２０との間でデータの送受信を管理する。
【００５４】
前記電子マネーチャージ機は、コンビニエンスストア、スーパーマーケット、デパートメントストア、ショッピングモール、ショッピングセンターのような大規模又は小規模の小売店舗等に設置される。前記電子マネーチャージ機は、好ましくはコンビニエンスストアに設置される。
【００５５】
本発明の電子マネーチャージ機１００の操作者毎の動作の一例を、図５〜７を用いて説明する。
【００５６】
１．現金（硬貨）での電子マネーのチャージ
図５のフローチャートにおいて、電子マネーチャージ機１００のインターフェース１１０（タッチパネルモニタ）には、「現金（硬貨）でチャージ」の画面が表示されている。
【００５７】
電子マネーチャージ者は、電子マネー記録媒体２００（図では、電子マネー内蔵スマートフォン）を電子マネーリーダライタ１２０にセットする（ステップＳ１０１）。電子マネーリーダライタ１２０が電子マネー記録媒体２００に書き込まれた使用者情報を読み取り、電子マネー管理用サーバ３００に認識させる。
【００５８】
電子マネー管理用サーバ３００が認証情報を送ってきた場合、金銭処理機１３０の硬貨投入口１３１の扉のロックが解除される（ステップＳ１０２）。扉が自動又は手動で開けられた後、電子マネーチャージ者によって硬貨が一括投入される（ステップＳ１０３）。次いで、扉が自動又は手動で閉められる（ステップＳ１０４）。
【００５９】
投入された硬貨は、硬貨正偽判定ユニット１３２によって真偽が判定された後、計数される（ステップＳ１０５）。計数された硬貨は、金種振分ユニット１３３により金種毎に分別され、ホッパーを通じて金種に応じた硬貨用金庫１３４に格納される。なお、硬貨正偽判定ユニット１３２で偽貨幣と判断されたものは、硬貨返却口１３５から電子マネーチャージ者に返却される。
【００６０】
硬貨の計数が終わると、インターフェース１１０（タッチパネル）上に投入された硬貨の総額が表示される（ステップＳ１０６）。電子マネーチャージ処理部１５１は、電子マネー入金情報を、ゲートウエイサービスにより、ネットワークを介して電子マネー用管理サーバ３００に送信する（ステップＳ１０７）。電子マネー管理用サーバ３００は、また、電子マネー記録媒体２００へ電子マネー入金情報を書き込むよう電子マネーリーダライタ１２０へ指令する。書き込みが終了すると、インターフェース１１０（タッチパネルモニタ）に「チャージ完了」のメッセージが表示される。電子マネーリーダライタ１２０にセットされた電子マネー記録媒体２００（電子マネー内蔵スマートフォン）が、電子マネーチャージ者によって回収される。
【００６１】
２．店舗用釣銭用硬貨への逆両替
図６のフローチャートにおいて、硬貨逆両替者（電子マネーチャージ機１００が設置されている小売店舗のオーナー）によって、専用鍵で前面扉１０２が開けられる（ステップＳ２０１）。前面扉１０２が開けられると、インターフェース１１０（タッチパネルモニタ）に硬貨逆両替処理の操作画面が表示される（ステップＳ２０２）。
【００６２】
硬貨逆両替者によって、必要な金種と枚数が入力される（ステップＳ２０３）。硬貨逆両替処理部１５２は、選択された金種の硬貨を逆両替硬貨用払出口から払い出す（ステップＳ２０４）。
【００６３】
タッチパネルモニタ上に「硬貨払出し完了？」を問う表示がなされる（ステップＳ２０５）。硬貨逆両替者によって「Ｙｅｓ（払出し完了）」が選択された場合、逆両替完了の画面表示がなされる（Ｓ２０６）。選択された金種の硬貨が硬貨用金庫１３４から逆両替硬貨用払出口１３６へ払い出される（ステップＳ２０７）。
【００６４】
タッチパネルモニタ上に「続けて両替？」を問う画面表示がなされる（ステップＳ２０８）。逆両替希望者によって「Ｎｏ：両替終了」が選択された場合、硬貨逆両替者によって前面扉１０２が閉められる（ステップＳ２０９）。
【００６５】
前面扉１０２を閉められると、硬貨逆両替処理部１５２によって、電子マネー管理用サーバ３００へ硬貨逆両替情報（金種と量）が電子マネー管理用サーバ３００へ送信される（ステップＳ２１０）。電子マネー管理用サーバ３００は、硬貨逆両替情報に記載された決済方法に基づいて、硬貨逆両替者者の金融機関口座サーバ３２０や信販会社のクレジットカード決済サーバ３１０へ逆両替に必要な金銭額を決済（予約を含む）するよう指令する。電子マネー管理用サーバ３００は、決済処理が済んだことを硬貨逆両替処理部１５２へ送信する。タッチパネルモニタの表示画面が電子マネーチャージ画面に戻される（ステップＳ２１１）。
【００６６】
３．金庫に入金された硬貨の回収
図７のフローチャートにおいて、電子マネー事業者によって、専用鍵で電子マネーチャージ機１００の前面扉１０２が開けられる（ステップＳ３０１）。前面扉が開けられると、インターフェース１１０（タッチパネルモニタ）に硬貨逆両替の操作画面が表示される（ステップＳ３０２）。
【００６７】
電子マネー事業者によって、硬貨回収モードが選択される（ステップＳ３０３）。電子マネー事業者によって、専用鍵でホッパー付き硬貨用金庫１３４が取り出され、硬貨が回収される（ステップＳ３０４）。
【００６８】
タッチパネルモニタに「全ての硬貨を回収？」を問う画面が表示される（ステップＳ３０５）。電子マネー事業者によって、「Ｙｅｓ（全て回収）」が選択され、前面扉１０２が閉められる（Ｓ３０６）。
【００６９】
硬貨逆両替処理部１５２によって、硬貨回収報告が電子マネー管理用サーバ３００に送信される（Ｓ３０７）。送信後、タッチパネルモニタ１１０は、「電子マネーチャージ画面」に戻される（ステップＳ３０８）。
【符号の説明】
【００７０】
１００  硬貨への逆両替機能付き硬貨用電子マネーチャージ機
１０１  キャビネット
１０２  前面扉
１１０  インターフェース（タッチパネルモニタ）
１１１  表示部
１１２  入力部
１２０  電子マネーリーダライタ
１２１  通信部
１２２  読書処理部
１３０  金銭処理機
１３１  硬貨投入口
１３２  硬貨正偽判定ユニット
１３３  金種振分ユニット
１３４  硬貨用金庫
１３５  硬貨返却口
１３６  逆両替硬貨用払出口
１５０  主制御部
１５１  電子マネーチャージ処理部
１５２  硬貨逆両替処理部
１５３  通信処理部
１５４  硬貨正偽判定処理部
１６０  メモリ
２００  電子マネー記録媒体
３００  電子マネー管理用サーバ
３１０  クレジットカード決済サーバ
３２０  金融機関口座サーバ
【図１】
2018060352.tif 000003
【図２】
2018060352.tif 000004
【図３】
2018060352.tif 000005
【図４】
2018060352.tif 000006
【図５】
2018060352.tif 000007
【図６】
2018060352.tif 000008
【図７】
2018060352.tif 000009